(57)【要約】【課題】本発明は、仕掛けを引っ掛けることなく、玉網の網部を破損させるようなことのない玉網取り付け用袋体を提供する。【解決手段】本発明の玉網取り付け用袋体は、水を溜めることが可能な袋部１０ａの開口に沿って形状記憶合金のフレーム１５を設けたことを特徴とする。【選択図】    図１
2004229551.tif 000002
【特許請求の範囲】
【請求項１】
水を溜めることが可能な袋部の開口に沿って形状記憶合金のフレームを設けたことを特徴とする玉網取り付け用袋体。
【請求項２】
前記フレームは、直線状になるように形状記憶されていることを特徴とする請求項１に記載の玉網取り付け用袋体。
【請求項３】
前記袋部の開口端部を、前記フレームを介して折り返し、その折り返し部分を袋部に止着することで、前記袋部の開口に前記フレームを保持したことを特徴とする請求項１又は２に記載の玉網取り付け用袋体。
【請求項４】
網部の底部に水を溜めることが可能な袋体を着脱可能に備えており、前記袋体の袋部開口に沿って形状記憶合金のフレームを設けたことを特徴とする玉網。
【発明の詳細な説明】
【０００１】
【発明の属する技術分野】
本発明は、魚を取り込む際に用いられる玉網に関し、詳細には、鮎釣り、渓流釣り等をする際に、玉網の網部の底部において、生簀状態にして魚を入れるのに適した玉網取り付け用袋体、及びそのような袋体を着脱可能に備えた玉網に関する。
【０００２】
【従来の技術】
従来から、網部を有する通常の玉網に加え、網部の底部側に水を溜めることができる袋付きの玉網が使用されている。このような袋付きの玉網は、生簀としての機能を備えており、網の中に魚を入れたまま移動したり、魚を網の中に入れたまま作業（仕掛けのメンテナンスや仕掛けの取り付け作業等）ができて便利である。このような玉網は、柄の部分をウエストベルトに差し込み、魚が釣れた際に差し込んだ玉網を取り出して網部で捕獲すると共に、ウエストベルトに玉網の柄を差し込んで固定し、若干前屈みになった状態（しゃがんだ場合も同様）で上記した作業を行なっている。
【０００３】
ところで、上記した玉網は、渓流中で立ち込んだとき、水を溜めることができる部分（袋部）で水流を受けてしまい、抵抗が大きくなることから、さらに、上記袋部が着脱自在に取り付けできて、網部を有する通常の玉網と、袋付きの玉網の状態に好みに応じて変更できる構成が提案されている。
【０００４】
例えば、公知文献１には、網部の底部側に水を溜めることができる袋部を有する袋体が、面ファスナによって網部内壁に着脱できる玉網が開示されている。また、公知文献２には、袋体に矢尻のような形状をしたプラスチック止め具を設けておき、この止め具を玉網の網部の目に挿通することで、袋体を網部に止めるようにした取り外し可能な防水布袋が開示されている。
【０００５】
【公知文献１】
実開平１−１６８１６２号公報
【公知文献２】
実開平１−１７８３６９号公報。
【０００６】
【発明が解決しようとする課題】
上記した公知文献１に開示されている玉網は、袋体が面ファスナで着脱できるようにしたため、玉網の網部内側に面ファスナのＵ字状植毛テープが縫着されており、網の中に魚を入れたまま作業を行なうと、仕掛けが引っ掛かり易いという問題がある（例えば、鮎釣りでは囮鮎に釣針が付いた仕掛けが取り付けられているため、魚を網の中に入れたまま作業を行なうと、仕掛けや釣針が面ファスナのＵ字状植毛テープに絡むと考えられる）。
【０００７】
また、公知文献２に開示されている構成は、矢尻のようなプラスチック止め具を、玉網の網部の目に挿通することで袋体を網部に止めるため、着脱時に網部が破損するという問題がある。
【０００８】
この発明は、上記した問題に着目してなされたものであり、仕掛けを引っ掛けることなく、玉網の網部を破損させるようなことのない玉網取り付け用袋体を提供することを目的とする。また、本発明は、袋体が着脱可能に構成された玉網において、網部の中に魚を入れたまま作業を行なっても仕掛けが引っ掛かるようなことが無く、また、袋体を玉網の網部から着脱する際に、網部を破損させるようなことのない玉網を提供することを目的とする。
【０００９】
【課題を解決するための手段】
上記した目的を達成するために、本発明に係る玉網取り付け用袋体は、水を溜めることが可能な袋部の開口に沿って形状記憶合金のフレームを設けたことを特徴としている。
【００１０】
また、上記した目的を達成するために、本発明に係る玉網は、網部の底部に水を溜めることが可能な袋体を着脱可能に備えており、前記袋体の袋部開口に沿って形状記憶合金のフレームを設けたことを特徴としている。
【００１１】
上記した構成の袋体によれば、袋部に設けられた形状記憶合金製のフレームを弾性変形させながら、その袋部を玉網の網部の底部に合致するように網部の内側に添設する。そして、フレームの弾性変形を解除することで、袋部の開口は形状記憶されたフレームによって押し広げられ、網部の内周領域を外側に押圧し、その押圧力によって袋体は、網部の内周壁に取り付く。この状態では、袋部内に水を溜めることで魚を入れて運ぶこと、また、魚を入れた状態で作業が行なえる。そして、袋体は、フレームを弾性変形させることで、玉網の網部内周領域から取り外される。
【００１２】
【発明の実施の形態】
図１乃至図５は、本発明の一実施形態を示す図であり、図１は、玉網及び取り付け用袋体の全体構成を示す図、図２は、袋体を装着した玉網の中央部分の断面図、図３は、袋体を装着した玉網の平面図、図４は、袋体を折り畳み始める状態を示す図、そして、図５は、袋体を折り畳んだ状態を示す図である。
【００１３】
本実施形態における玉網１は、柄３と、この柄３の先端側に取り付けた円形状の枠５と、この枠５に開口した状態で取り付けた魚すくい取り用の網７とを備えて構成されている。
【００１４】
前記柄３は、木材、合成樹脂等で形成されており、釣人の身体に取り付けたウエストベルトに差し込んで玉網１を支持できる程度の長さを有し、その先端側に金属製の円形状の枠５が装着されるようになっている。この場合、柄３と枠５は一体的に形成しても良く、或いは、着脱可能に構成しても良い。
【００１５】
前記円形状の枠５に沿って、網（網部）７の開口部分が止着される。この網７は、ナイロン、その他の合成樹脂のモノフィラメント（又ははマルチフィラメント）の線材を編んで、その目を水が通過するようにした周壁部７ａを有しており、線材の交差部が結束されて瘤が形成されている。なお、図に示す構成例では、網７は、円形状の底面部７ｂを備えているが、このような底面部を備えていない構成であっても良い。
【００１６】
また、網７の下部には、水を溜めることができる袋部１０ａを備えた袋体１０が着脱可能に装着されるようになっている。本実施形態の袋体１０は、合成樹脂繊維、天然繊維等の布帛や合成樹脂シートによって実際に水が溜められる袋部１０ａが形成され、使用する玉網の網７よりも深さが浅くなるように形成されている。
【００１７】
この場合、袋部１０ａは、合成樹脂シートのような非透水性の材料で形成して水がこぼれないようにするのが好ましいが、網７の部分よりも目（線材や繊維間の隙間）の詰んだ布帛（例えば織布等）を用いて、多少水がこぼれても、釣場での僅かな移動や、玉網に魚を入れての簡単な作業が行なえ、玉網内の魚を弱らせることがないように水が溜められる程度のものであっても良い（例えば、河原での魚を玉網に入れたままの簡単な場所移動は、５〜３０秒程度が多いため、少なくとも３０秒以上は水が残るようになっていることが好ましい）。なお、袋部１０ａは、図に示すように、底部１０ｂと、その周辺部全周から立ち上がる周壁部１０ｃを有するか、あるいは底部から周壁部にかけて境界のない湾曲状に形成したものであっても良い。
【００１８】
また、袋部１０ａの開口領域には、その開口を規定している周壁部１０ｃの上端部（開口側端部）１０ｄにフレーム１５が保持されている。本実施形態では、フレーム１５は、袋部１０ａの開口側端部がフレーム１５を介して折り返され、折り返し部分を再び袋部の周壁部１０ｃに止着することで保持されており、露出しない状態になっている。具体的には、例えば周壁部１０ｃの上端部１０ｄは、図２に示すように、外側に折り返されて、袋部１０ａの周壁部に縫着される。このとき、折り返し部の内側に袋部開口に沿って，空洞状の挿通部１０ｅが形成され、この挿通部にフレーム１５が挿通されて保持される。
【００１９】
前記フレーム１５は、形状記憶合金によって、玉網の網７の内周形状に合わせて、袋部１０ａの開口に沿う形状（リング状）となるように形成されている。つまり、袋部１０ａの開口は、広げた状態で円形状（リング状）となり、これに沿って設けた挿通部１０ｅ内でフレーム１５がその弾性で広がるため、袋部１０ａの開口とともに強制的に円形状（リング状）が維持される。この場合、フレームは、例えば、ニッケル−チタン合金の形状記憶合金の線材を直線状に形状記憶させておけば良く、このような形状記憶は、例えば、−１８０〜１００℃でその効果が得られるようにすることが可能である。従って、実釣で使用する際には、常温を含む−３０〜６０℃で形状記憶効果が得られるように熱処理や、Ｃｕ，Ｍｎの含有量を調節し、５％（場合によっては８％）の歪みが生じた場合でも元の形状に回復されるようになっている。この結果、合わせて超弾性の特性を有することから、袋部の開口を広げた状態に押圧し、袋部の開口の円形状が維持される。
【００２０】
形状記憶合金は、上記したもの以外に、チタン−ニオブ−スズ合金や、チタン系の他に、銅系合金等を用いても良い。また、フレームを構成する線材は、その両端部が接合されていても良いが、接合されていなくても良く、挿通部に収まって保持されていれば良い。また、線材の径は０．１〜３．０ｍｍ（０．１〜１．０ｍｍが好ましい）で軽い方が良い（３．０ｍｍ以上は重くなって袋体を取り付けた玉網の取り回しが悪くなる）。また、図に示す線材は断面が円形状のものが用いられているが、長方形（板状）等、非円形のものであっても良い。さらに、形状記憶させる形状も直線状以外に、袋部１０ａの開口と同じか、これより大きな円形状としても良い。
【００２１】
以上のように形成した玉網取り付け用袋体１０は、リング状のフレーム１５を折り畳んで携行することができる。すなわち、図４に示すように、フレーム１５を八の字状に湾曲させ、そして、この状態から更に曲げて図５に示すように二重の輪を作り折り畳むことで、小さくした状態で携行することが可能となる。フレーム１５は、形状記憶合金であるため、大きな塑性変形をさせなければ、折り畳み状態から広げるとすぐに袋部１０ａの開口をリング状にした状態に復帰する。
【００２２】
実際の使用に際しては、袋部１０ａに設けられたフレーム１５を弾性変形させながら、その袋部を玉網の網部の底部に合致するように網部の内側に添設する。そして、フレーム１５の弾性変形を解除することで、袋部１０ａの開口はフレーム１５によって押し広げられ、網部の内周領域を外側に押圧し、その押圧力によって袋体１０は、網部の内周壁に取り付く。この状態では、袋部内に水を溜めて魚を入れて運ぶこと、また、魚を入れた状態で各種の作業が行なえる。また、袋体が必要ないときは、玉網の網部から取り外して図５に示すように折り畳んでしまうことができる。このとき、袋体を折り畳んでも、形状記憶合金のフレーム１５は癖付けされ難い。
【００２３】
そして、上記した構成によれば、玉網の網部には、上記した袋体を取り付けるための相手部材が必要とされることはなく、フレームによる押圧力で保持されているため、玉網の網部を傷つけるようなことはない。
【００２４】
以上、本発明の実施形態について説明したが、本発明は、形状記憶合金のフレームによって、袋体が網部に対して着脱可能に構成されていれば、袋体の形状やフレームの形状、及びその配設位置については適宜変形することが可能である。
【００２５】
【発明の効果】
以上、本発明の玉網取り付け用袋体、及び玉網によれば、仕掛けを引っ掛けることなく、しかも、袋体の着脱時に、玉網の網部を破損させるようなことのない構成が得られる。
【図面の簡単な説明】
【図１】本発明に係る玉網及び取り付け用袋体の全体構成を示す図。
【図２】袋体を装着した玉網の中央部分の断面図。
【図３】袋体を装着した玉網の平面図。
【図４】袋体を折り畳み始める状態を示す図。
【図５】袋体を折り畳んだ状態を示す図。
【符号の説明】
１  玉網
３  柄
５  枠
７  網
１０  袋体
１０ａ  袋部
１５  フレーム
【図１】
2004229551.tif 000003
【図２】
2004229551.tif 000004
【図３】
2004229551.tif 000005
【図４】
2004229551.tif 000006
【図５】
2004229551.tif 000007